(57)【要約】【課題】配線や配管類を支持するための支持フレームを吊り下げる吊下げ用螺軸の揺れ止めに活用出来る金具を提供する。【解決手段】吊下げ用螺軸１に対して横側方から外嵌可能な第一金具９には、Ｕターン部内面に吊下げ用螺軸１の雄ねじ溝に嵌合する第一雌ねじ溝１４が設けられ、揺れ止め用螺軸７を軸方向に挿通出来るＵ字形部１７と並列脚板部１９ａ，１９ｂを備えた第二金具１０には、そのＵ字形部１７の内面に、揺れ止め用螺軸７の雄ねじ溝に嵌合する第二雌ねじ溝２４が設けられ、第二金具１０の並列脚板部１９ａ，１９ｂを第一金具９の両側板部１２ａ，１２ｂ間で連結用ボルト１１により挟持固定して、第一第二両金具９，１０を連結したとき、第一金具９の両側板部１２ａ，１２ｂが吊下げ用螺軸１を挟持固定し、第二金具１０のＵ字形部１７を締結用ボルト２０で締結することにより、第二金具１０のＵ字形部１７が揺れ止め用螺軸７を挟持固定する。【選択図】図１
2019143671.tif 000002
【特許請求の範囲】
【請求項１】
吊下げ用螺軸に取り付けられる第一金具と、揺れ止め用螺軸に取り付けられる第二金具と、第一第二両金具を連結する連結用ボルトから成り、第一金具は、吊下げ用螺軸に対して横側方から外嵌可能なＵ字形のもので、その両側板部を繋ぐＵターン部の内面には、このＵターン部内面に吊下げ用螺軸が押し付けられたときに当該吊下げ用螺軸の雄ねじ溝に嵌合する第一雌ねじ溝が設けられ、前記両側板部の一方の側板部の遊端側には、前記連結用ボルトが挿通される第一貫通孔が設けられると共に、他方の側板部には、前記連結用ボルトが螺合貫通する第一貫通ねじ孔が前記第一貫通孔と同心状に設けられ、第二金具は、揺れ止め用螺軸を軸方向に挿通出来るＵ字形部と、このＵ字形部の両側板部の遊端部から直角横側方に連設されて、前記第一金具の両側板部間に挿入可能な間隔で並列する並列脚板部と、締結用ボルトから成り、前記Ｕ字形部の両側板部の一方の側板部の遊端側には、前記締結用ボルトが挿通される第二貫通孔が設けられると共に、他方の側板部には、前記締結用ボルトが螺合貫通する第二貫通ねじ孔が前記第二貫通孔と同心状に設けられ、前記Ｕ字形部の両側板部を繋ぐＵターン部の内面には、このＵターン部内面に揺れ止め用螺軸が押し付けられたときに当該揺れ止め用螺軸の雄ねじ溝に嵌合する第二雌ねじ溝が設けられ、前記並列脚板部の各遊端部には、前記連結用ボルトを挿通させる第三貫通孔が同心状に設けられている、吊下げ用螺軸の揺れ止め金具。
【請求項２】
前記第一金具の両側板部の内の少なくとも一方の側板部の内側には、吊下げ用螺軸が前記Ｕターン部の内側に接近する位置にこの第一金具を位置決めする突起部が設けられている、請求項１に記載の吊下げ用螺軸の揺れ止め金具。
【請求項３】
前記第二金具のＵ字形部の両側板部の内の少なくとも一方の側板部には、揺れ止め用螺軸を前記Ｕ字形部のＵターン部の内面に接近する位置に位置決めする屈曲部を形成して、前記Ｕ字形部における両側板部の前記第二貫通孔及び第二貫通ねじ孔が設けられた遊端部の間隔を前記並列脚板部の間隔まで狭めてある、請求項１又は２に記載の吊下げ用螺軸の揺れ止め金具。
【発明の詳細な説明】
【技術分野】
【０００１】
本発明は、配線や配管類を支持するための支持フレームを天井下などに吊下げ用螺軸で吊下げて架設する場合などにおいて使用することの出来る吊下げ用螺軸の揺れ止め金具に関するものである。
【背景技術】
【０００２】
上記のように配線や配管類を支持するための支持フレームは、一端を天井側の部材に連結した複数本の吊下げ用螺軸によって吊り下げられるが、地震発生時などにおいて、各吊下げ用螺軸の揺れを伴って前記支持フレームが不当に揺れ動く恐れがある。この現象を防止するために、適当な位置にある吊下げ用螺軸の下端側と天井側部材との間に斜め向きに揺れ止め用螺軸を架設することが行われる。このような場合に、前記揺れ止め用螺軸の下端側を前記吊下げ用螺軸の下端側に簡単に結合することが出来る金具が必要になるが、従来、このような場合に使用する金具として、特許文献１に記載のような接続金具が知られていた。
【先行技術文献】
【特許文献】
【０００３】
【特許文献１】特許第６０１１８３４号公報
【発明の概要】
【発明が解決しようとする課題】
【０００４】
上記の特許文献１に記載されたような従来周知の接続金具は、吊下げ用螺軸を両側から挟んでボルトナットで締結する第一金具と、この第一金具に連結軸の周りに相対揺動自在に連結された可動部材と、揺れ止め用螺軸を挟む第二金具とから成り、第二金具を前記可動部材にボルトナットで締結することにより、当該第二金具を揺れ止め用螺軸に固定出来るように構成されたものであり、部品点数が非常に多く、コスト高になる問題点があった。
【課題を解決するための手段】
【０００５】
本発明は、上記のような従来の問題点を解消することのできる吊下げ用螺軸の揺れ止め金具を提案するものであって、本発明に係る吊下げ用螺軸の揺れ止め金具は、後述する実施例との関係を理解し易くするために、当該実施例の説明において使用した参照符号を括弧付きで付して示すと、吊下げ用螺軸(1)に取り付けられる第一金具(9)と、揺れ止め用螺軸(7)に取り付けられる第二金具(10)と、第一第二両金具(9,10)を連結する連結用ボルト(11)から成り、第一金具(9)は、吊下げ用螺軸(1)に対して横側方から外嵌可能なＵ字形のもので、その両側板部(12a,12b)を繋ぐＵターン部(13)の内面には、このＵターン部内面に吊下げ用螺軸(1)が押し付けられたときに当該吊下げ用螺軸(1)の雄ねじ溝(1a)に嵌合する第一雌ねじ溝(14)が設けられ、前記両側板部(12a,12b)の一方の側板部(12a)の遊端側には、前記連結用ボルト(11)が挿通される第一貫通孔(15)が設けられると共に、他方の側板部(12b)には、前記連結用ボルト(11)が螺合貫通する第一貫通ねじ孔(16)が前記第一貫通孔(15)と同心状に設けられ、第二金具(10)は、揺れ止め用螺軸(7)を軸方向に挿通出来るＵ字形部(17)と、このＵ字形部(17)の両側板部(18a,18b)の遊端部から直角横側方に連設されて、前記第一金具(9)の両側板部(12a,12b)間に挿入可能な間隔で並列する並列脚板部(19a,19b)と、締結用ボルト(20)から成り、前記Ｕ字形部(17)の両側板部(18a,18b)の一方の側板部(18a)の遊端側には、前記締結用ボルト(20)が挿通される第二貫通孔(21)が設けられると共に、他方の側板部(18b)には、前記締結用ボルト(20)が螺合貫通する第二貫通ねじ孔(22)が前記第二貫通孔(21)と同心状に設けられ、前記Ｕ字形部(17)の両側板部(18a,18b)を繋ぐＵターン部(23)の内面には、このＵターン部内面に揺れ止め用螺軸(7)が押し付けられたときに当該揺れ止め用螺軸(7)の雄ねじ溝(7a)に嵌合する第二雌ねじ溝(24)が設けられ、前記並列脚板部(19a,19b)の各遊端部には、前記連結用ボルト(11)を挿通させる第三貫通孔(25a,25b)が同心状に設けられた構成になっている。
【発明の効果】
【０００６】
上記本発明の構成によれば、既設の吊下げ用螺軸に対し横側方から第一金具を嵌合させる第一金具装着操作、第二金具のＵ字形部に揺れ止め用螺軸を軸方向に挿通させる第二金具装着操作、第一金具装着操作後の第一金具の両側板部間に第二金具の並列脚板部の遊端部を差し込んで、前記連結用ボルトを第一金具の第一貫通孔から第二金具の２つの第三貫通孔を経由させて第一金具の第一貫通ねじ孔に螺合締結させる第一第二両金具の連結操作、前記締結用ボルトを第二金具の第二貫通孔から第二貫通ねじ孔に螺合締結させる第二金具と揺れ止め用螺軸の結合操作によって、既設の吊下げ用螺軸に対し揺れ止め用螺軸の下端側を連結する作業が行われる。
【０００７】
後述の実施例において詳細に説明するように、上記の各操作を行うことにより既設の吊下げ用螺軸の任意の高さに任意の角度で揺れ止め用螺軸の下端側を連結して、既設の吊下げ用螺軸の揺れ止めを実行出来るのであれが、上記の本発明構成によれば、既設の吊下げ用螺軸を固定しているナットのねじ戻しねじ込み操作は不要であり、２本のボルトに対する回転ねじ込み操作も、吊下げ用螺軸や揺れ止め用螺軸から離れた位置で横から水平向きにインパクトドライバーによって簡単且つ強力に行うことが出来るので、作業性は従来のものと比較して格段に向上する。しかも必要部品としては、第一金具と第二金具、及び２本のボルトだけであって、非常にシンプルな構成であり、機能の割には比較的安価に実施出来る。
【０００８】
上記本発明を実施する場合、前記第一金具(9)の両側板部(12a,12b)の内の少なくとも一方の側板部(12a)の内側に、吊下げ用螺軸(1)が前記Ｕターン部(13)の内側に接近する位置にこの第一金具(9)を位置決めする突起部(26a)を設けることが出来る。この構成によれば、第一金具を吊下げ用螺軸に横から嵌合させる際に、この第一金具の両側板部間を一時的に開動させるように、前記突起部を吊下げ用螺軸に対して直交方向に乗り越えさせる操作力を必要とするが、吊下げ用螺軸に装着した第一金具を手で保持していなくとも、第一金具が吊下げ用螺軸から離脱して落下するような恐れがなくなり、操作性が一層向上する。
【０００９】
又、前記第二金具(10)のＵ字形部(17)の両側板部(18a,18b)の内の少なくとも一方の側板部(18a)に、揺れ止め用螺軸(7)を前記Ｕ字形部(17)のＵターン部(23)の内面に接近する位置に位置決めする屈曲部(27a)を形成して、前記Ｕ字形部(17)における両側板部(18a,18b)の、前記第二貫通孔(21)及び第二貫通ねじ孔(22)が設けられた遊端部の間隔を、前記並列脚板部(19a,19b)の間隔まで狭めておくことが出来る。この構成によれば、第二金具と揺れ止め用螺軸の結合操作を行う際に、第二金具の第二雌ねじ溝に隣接する位置に揺れ止め用螺軸を手で保持しておく必要がなく、やはり操作性を一層向上させることが出来る。
【図面の簡単な説明】
【００１０】
【図１】図１は、本発明に係る吊下げ用螺軸の揺れ止め金具の使用状態を示す一部縦断正面図である。
【図２】図２Ａは、吊下げ用螺軸の取付け構造を示す一部縦断側面図と、第一金具を示す正面図、図２Ｂは、第一金具の横断平面図と当該第一金具を吊下げ用螺軸に取り付ける途中の状態を示す横断平面図である。
【図３】図３Ａは、揺れ止め用螺軸と第二金具を示す正面図、図３Ｂは、第二金具の縦断側面図、図３Ｃは、揺れ止め用螺軸に対する第二金具の取り付け方法を説明する横断平面図である。
【図４】図４は、揺れ止め用螺軸に対する第二金具の取り付け方法を説明する横断平面図である。
【図５】図５は、図１に示す本発明に係る吊下げ用螺軸の使用状態での要部の横断平面図である。
【発明を実施するための形態】
【００１１】
図１及び図２において、１は吊下げ用螺軸であって、図外の上端部は、天井側の部材に従来周知の方法で取り付けられ、下端部は、配線や配管類を支持するための支持フレームを載置するリップ付きＣ型鋼２に取付け金具３を介して取り付けられている。この取付け金具３は従来周知のものであって、リップ付きＣ型鋼２の上側に外嵌するコ字形の本体４と、リップ付きＣ型鋼２の両リップ部の内側に入り込む締結用板材５とから成り、本体４には、リップ付きＣ型鋼２の両リップ部間のスリットに嵌まり込む一対の折曲片４ａ，４ｂが設けられ、吊下げ用螺軸１は、本体４の貫通孔４ｃを通って締結用板材５に設けられた上下方向の貫通ねじ孔５ａに螺合貫通し、本体４の上側で吊下げ用螺軸１に螺嵌しているナット６をねじ込むことにより、リップ付きＣ型鋼２に対して垂直に起立するように取り付けられている。
【００１２】
上記の吊下げ用螺軸１の下端近傍位置に揺れ止め用螺軸７を取り付ける本発明の揺れ止め用金具８は、吊下げ用螺軸１に取り付けられる第一金具９と、揺れ止め用螺軸７に取り付けられる第二金具１０と、第一第二両金具９，１０を連結する連結用ボルト１１から構成されている。第一金具９は、図２Ａ及び図２Ｂに示すように、吊下げ用螺軸１に対して横側方から外嵌可能なＵ字形のもので、その両側板部１２ａ，１２ｂを繋ぐＵターン部１３の内面の１８０度以内の領域には、このＵターン部１３の内面に吊下げ用螺軸１が押し付けられたときに当該吊下げ用螺軸１の雄ねじ溝１ａに嵌合する第一雌ねじ溝１４が設けられ、前記両側板部１２ａ，１２ｂの内、一方の側板部１２ａの遊端側には、前記連結用ボルト１１が挿通される第一貫通孔１５が設けられると共に、他方の側板部１２ｂには、前記連結用ボルト１１が螺合貫通する第一貫通ねじ孔１６が前記第一貫通孔１５と同心状に設けられている。
【００１３】
第二金具１０は、揺れ止め用螺軸７を軸方向に挿通出来るＵ字形部１７と、このＵ字形部の両側板部１８ａ，１８ｂの遊端部から直角横側方に連設されて、前記第一金具９の両側板部１２ａ，１２ｂ間に挿入可能な間隔で並列する並列脚板部１９ａ，１９ｂと、締結用ボルト２０から成り、前記Ｕ字形部１７の両側板部１８ａ，１８ｂの内、一方の側板部１８ａの遊端側には、前記締結用ボルト２０が挿通される第二貫通孔２１が設けられると共に、他方の側板部１８ｂには、前記締結用ボルト２０が螺合貫通する第二貫通ねじ孔２２が前記第二貫通孔２１と同心状に設けられている。又、前記Ｕ字形部１７の両側板部１８ａ，１８ｂを繋ぐＵターン部２３の内面の１８０度以内の領域には、このＵターン部２３の内面に揺れ止め用螺軸７が押し付けられたときに当該揺れ止め用螺軸７の雄ねじ溝７ａに嵌合する第二雌ねじ溝２４が設けられ、前記並列脚板部１９ａ，１９ｂの各遊端部には、前記連結用ボルト１１を挿通させる第三貫通孔２５ａ，２５ｂが同心状に設けられている。
【００１４】
更に詳述すると、前記第一金具９の両側板部１２ａ，１２ｂの内側には、吊下げ用螺軸１が前記Ｕターン部１３の内側に接近する位置にこの第一金具９を位置決めする突起部２６ａ，２６ｂが設けられている。この突起部は、両側板部１２ａ，１２ｂの内の何れか一方にのみ設けても良い。更に、前記第二金具１０のＵ字形部１７の両側板部１８ａ，１８ｂには、揺れ止め用螺軸７を前記Ｕ字形部１７のＵターン部２３の内面に接近する位置に位置決めする屈曲部２７ａ，２７ｂを形成して、前記Ｕ字形部１７における両側板部１８ａ，１８ｂの、第二貫通孔２１及び第二貫通ねじ孔２２が設けられた遊端部の間隔を、前記並列脚板部１９ａ，１９ｂの間隔まで狭めている。この屈曲部は、両側板部１８ａ，１８ｂの内の何れか一方にのみ設けても良い。
【００１５】
上記構成の吊下げ用螺軸の揺れ止め金具においては、既設の吊下げ用螺軸１に対し横側方から第一金具９を嵌合させる第一金具装着操作、第二金具１０のＵ字形部１７に揺れ止め用螺軸７を軸方向に挿通させる第二金具装着操作、第一金具装着操作後の第一金具９の両側板部１２ａ，１２ｂ間に第二金具１０の並列脚板部１９ａ，１９ｂの遊端部を差し込んで、連結用ボルト１１を第一金具９の第一貫通孔１５から第二金具１０の２つの第三貫通孔２５ａ，２５ｂを経由させて第一金具９の第一貫通ねじ孔１６に螺合締結させる第一第二両金具９，１０の連結操作、前記締結用ボルト２０を第二金具１０の第二貫通孔２１から第二貫通ねじ孔２２に螺合締結させる、第二金具１０と揺れ止め用螺軸７の結合操作によって、既設の吊下げ用螺軸１に対し揺れ止め用螺軸７の下端側を連結する作業が行われる。
【００１６】
第一金具９は、図２Ａ及び図２Ｂに示すように、その両側板部１２ａ，１２ｂ間に吊下げ用螺軸１が相対的に嵌まり込むように横側方から吊下げ用螺軸１に外嵌させる。このとき、両側板部１２ａ，１２ｂの突起部２６ａ，２６ｂが吊下げ用螺軸１の側面を通過するとき、両側板部１２ａ，１２ｂが弾性に抗して外側に開動し、突起部２６ａ，２６ｂが通過した後、両側板部１２ａ，１２ｂが弾性によって閉動することにより、吊下げ用螺軸１が第一金具９のＵターン部１３の内側に取り込まれた状態になり、第一金具９が吊下げ用螺軸１に仮止めされた状態になるので、第一金具９から手を離すことが出来る。又、揺れ止め用螺軸７を第二金具１０のＵ字形部１７の内側、即ち、Ｕターン部２３と両側板部１８ａ，１８ｂの屈曲部２７ａ，２７ｂとの間の空間に揺れ止め用螺軸７を挿通させたとき、当該揺れ止め用螺軸７が両側板部１８ａ，１８ｂの遊端部側へ移動することは、屈曲部２７ａ，２７ｂの存在によって阻止され、揺れ止め用螺軸７に対する第二金具１０の外嵌状態は保持される。
【００１７】
上記のように吊下げ用螺軸１に仮止めされた状態の第一金具９と第二金具１０とを、連結用ボルト１１による第一第二両金具９，１０の連結操作によって連結するのであるが、この連結操作によって、第一金具９の両側板部１２ａ，１２ｂ間が狭められ、この結果、第一金具９のＵターン部１３の内面が吊下げ用螺軸１に押し付けられ、当該吊下げ用螺軸１の雄ねじ溝１ａに第一金具９の第一雌ねじ溝１４が嵌合して、吊下げ用螺軸１に対する第一金具９の高さが決められると同時に、吊下げ用螺軸１に対し第一金具９の内面が圧接して吊下げ用螺軸１に第一金具９が固定される。同時に、第一金具９の両側板部１２ａ，１２ｂ間に第二金具１０の並列脚板部１９ａ，１９ｂが挟持されて、第一金具９に対し第二金具１０が固定される。従って、この連結用ボルト１１による第一第二両金具９，１０の連結操作は、吊下げ用螺軸１に対する第一金具９の取付け高さが決定されるので、吊下げ用螺軸１に対する第一金具９の高さを調整した後に行うのが望ましい。一方、第二金具１０と揺れ止め用螺軸７の結合操作によって、第二金具１０のＵ字形部１７の両側板部１８ａ，１８ｂ間が狭められ、第二金具１０のＵ字形部１７におけるＵターン部２３の内面が揺れ止め用螺軸７に押し付けられ、当該揺れ止め用螺軸７の雄ねじ溝７ａに第二金具１０の第二雌ねじ溝２４が嵌合して、揺れ止め用螺軸７に対する第二金具１０の軸方向位置が決められると同時に、揺れ止め用螺軸７に対し第二金具１０のＵ字形部１７の内面が圧接して揺れ止め用螺軸７に第二金具１０が固定される。従って、第二金具１０と揺れ止め用螺軸７の結合操作は、揺れ止め用螺軸７に対する第二金具１０の軸方向位置を調整後に行うのが望ましい。
【００１８】
以上のようにして既設の吊下げ用螺軸１に対する揺れ止め用螺軸７の下端部の結合が完了するが、揺れ止め用螺軸７に対する第二金具装着操作は、第一第二両金具９，１０の連結操作の後で且つ第二金具１０と揺れ止め用螺軸７の結合操作の前に行うことも出来る。何れにしても、吊下げ用螺軸１に対する第一金具９の取付け高さは、第一第二両金具９，１０の連結操作の後であっても、前記連結用ボルト１１を緩めて、第一金具９の第一雌ねじ溝１４から吊下げ用螺軸１を離脱させれば、吊下げ用螺軸１に対して第一金具９を自由に昇降移動させて高さ調整を行うことが出来る。同様に、第二金具１０と揺れ止め用螺軸７の結合操作の後であっても、締結用ボルト２０を緩めて、第二金具１０の第二雌ねじ溝２４から揺れ止め用螺軸７を離脱させれば、揺れ止め用螺軸７を第二金具１０に対し軸方向に自由に移動させて、揺れ止め用螺軸７に対する第二金具１０の取り付け位置の調整を行うことが出来る。勿論、第一第二両金具９，１０の連結操作の後であっても、必要に応じて連結用ボルト１１を緩めて、連結用ボルト１１を中心に第一金具９に対し第二金具１０を上下揺動させて、揺れ止め用螺軸７の角度を自由に調整出来る。
【産業上の利用可能性】
【００１９】
本発明の吊下げ用螺軸の揺れ止め金具は、配線や配管類を支持するための支持フレームを天井下などに吊下げ用螺軸で吊下げて架設する場合などにおいて、揺れ止め用螺軸を組み合わせて前記吊下げ用螺軸の揺れ止めを図る手段として活用することが出来る。
【符号の説明】
【００２０】
１    吊下げ用螺軸
１ａ    雄ねじ溝
２    リップ付きＣ型鋼
３    取付け金具
７    揺れ止め用螺軸
７ａ    雄ねじ溝
８    揺れ止め用金具
９    第一金具
１０    第二金具
１１    連結用ボルト
１２ａ，１２ｂ    第一金具の側板部
１３    第一金具のＵターン部
１４    第一金具の第一雌ねじ溝
１５    第一金具の第一貫通孔
１６    第一金具の第一貫通ねじ孔
１７    第二金具のＵ字形部
１８ａ，１８ｂ    第二金具のＵ字形部の側板部
１９ａ，１９ｂ    第二金具の並列脚板部
２０    締結用ボルト
２１    第二金具の第二貫通孔
２２    第二金具の第二貫通ねじ孔
２３    第二金具のＵ字形部のＵターン部
２４    第二金具の第二雌ねじ溝
２５ａ，２５ｂ    第二金具の第三貫通孔
２６ａ，２６ｂ    第一金具の突起部
２７ａ，２７ｂ    第二金具の屈曲部
【図１】
2019143671.tif 000003
【図２】
2019143671.tif 000004
【図３】
2019143671.tif 000005
【図４】
2019143671.tif 000006
【図５】
2019143671.tif 000007